(57)【要約】【課題】  透明ケースの容積を十分に確保でき、また透明ケース内を見易くできながら透明ケースの開口を透明扉によって長期間確実に閉じることができるショーケースを提供する。【解決手段】  透明ケース２の下側の基台４内に透明扉３を駆動する駆動機構６を配置する。駆動機構６は、交差位置を支点に揺動する一対のアーム８・９と、各アーム８・９の下端に連結する開閉操作部１０・１１と、各開閉操作部１０・１１に固定する一対のラック１２・１３と、両ラック１２・１３に噛合するピニオン１４と、ピニオン１４を駆動するモータ２７とを有する。各アーム８・９の上端には、透明扉３に配置した揺動ガイドレール１６に係合するスライド部１７・１８を設ける。モータ２７でピニオン１４を駆動して、開閉操作部１０・１１を互いに接近させたときには透明扉３が上昇し、開閉操作部１０・１１を互いに離れさせたときには透明扉３が基台４内に下降する。【選択図】  図１
2012000307.tif 000002
【特許請求の範囲】
【請求項１】
前面が開口している透明ケース（２）と、透明ケース（２）の前面開口に配置している透明扉（３）と、透明ケース（２）の下側に配置している基台（４）とを有しており、
基台（４）内には、透明扉（３）を昇降駆動する駆動機構（６）を配置しており、
駆動機構（６）は、交差状に組み付けられていて、その交差位置を支点に揺動する一対のアーム（８・９）と、各アーム（８・９）の下端に連結している開閉操作部（１０・１１）と、各開閉操作部（１０・１１）に固定している上下一対のラック（１２・１３）と、両ラック（１２・１３）間に配置していて、両ラック（１２・１３）に噛合するピニオン（１４）と、そのピニオン（１４）を回転駆動する駆動源（２７）とを有しており、
各アーム（８・９）の上端には、透明扉（３）に配置した揺動ガイドレール（１６）に対して左右方向へスライド移動自在に係合するスライド部（１７・１８）を設けており、
駆動源（２７）によってピニオン（１４）を駆動して開閉操作部（１０・１１）を互いに接近させたときには透明扉（３）が上昇し、ピニオン（１４）を駆動して開閉操作部（１０・１１）を互いに離れさせたときには透明扉（３）が基台（４）内に下降することを特徴とするショーケース。
【請求項２】
手などの被検知物を非接触で検知する非接触型センサ（３８）を配置しており、
透明扉（３）が透明ケース（２）の前面開口を閉じている状態で、非接触型センサ（３８）が被検知物を検知したときには透明扉（３）を下降させて透明ケース（２）の前面開口を開き、透明ケース（２）の前面開口が開かれている状態で、非接触型センサ（３８）が被検知物を検知したときには透明扉（３）を上昇させて透明ケース（２）の前面開口を閉じることを特徴とする請求項１記載のショーケース。
【発明の詳細な説明】
【技術分野】
【０００１】
本発明は、商品などを陳列収容するショーケースに関するものである。
【背景技術】
【０００２】
従来、例えば商品を陳列収容するための透明ケースの前面や後面に開口を形成し、その開口に左右一対の引き違い方式の透明扉を配置して、その透明扉を開いて透明ケース内の商品を出し入れするショーケースが知られている。
【０００３】
そのショーケースでは、各透明扉の端に形成された指掛けに指を引っ掛けて開閉操作することになるが、指が滑って爪が欠けたりするなどの虞がある。また、例えば両手で商品を持っている場合には、透明扉の開閉が行い難いといった問題がある。
【０００４】
その対策としては、例えば特許文献１に示すように両透明扉を自動開閉するものが提案されている。具体的には特許文献１のショーケースでは、当該ショーケースに設けた光センサが手を検知した時に、モータが回転して透明扉を開くようになっている。そのため、透明扉の指掛けに指を引っ掛けて開閉しなくても済み、指が滑って爪が欠けたりすることなどを防止できる。また、例えば両手で商品を持っていても、光センサに手をかざすだけで透明扉を開閉することができる。
【０００５】
ところが、特許文献１のショーケースは、透明扉が透明ケースの開口内でスライド移動するものであるために、その開口を全面的に開放することができず、その分だけ透明ケース内の商品を出し入れし難いといった問題がある。また、透明扉を駆動するモータや滑車などを透明ケースに配置しなければならないために透明ケースの容積が小さくなるうえ、モータや滑車などを配置することで透明ケース内が見難くなってしまう。
【０００６】
それに対して特許文献２には、透明ケースの開口に配置した透明扉を昇降させるものが記載されている。具体的には特許文献２のショーケースでは、ケース本体の下側に配置した基台内にスライド部材を左右にそれぞれ配置して、そのスライド部材に開閉扉の下端を連結している。また、スライド部材に無端ベルトを介してモータを接続し、そのモータを駆動することで透明扉を昇降させている。
【０００７】
特許文献２のショーケースでは、透明ケースの前面を全開できて、透明ケース内の商品を容易に出し入れできるうえ、透明ケースにモータや滑車などが配置されていないために、透明ケースの容積を十分に確保でき、また透明ケース内が見易くなるといった利点がある。
【先行技術文献】
【特許文献】
【０００８】
【特許文献１】特開２００５−１２４７９３号公報
【特許文献２】特開２００５−１８８１４４号公報
【発明の概要】
【発明が解決しようとする課題】
【０００９】
しかし、特許文献２のショーケースでは、無端ベルトに透明扉を連結しているために、透明扉の重量が無端ベルトにそのまま加わって、当該無端ベルトが下方へ引っ張られる。そのため、経時変化によって無端ベルトが伸びてしまい、透明ケースの開口を透明扉によって確実に閉じることができなくなる虞がある。
【００１０】
本発明は、かかる不都合を解決することを目的として提供されたものであり、透明ケースの容積を十分に確保でき、また透明ケース内を見易くできながら、透明ケースの開口を透明扉によって長期間確実に閉じることができるショーケースを提供することにある。
【課題を解決するための手段】
【００１１】
本発明は、かかる不都合を解決するために、前面が開口している透明ケース２と、透明ケース２の前面開口に配置している透明扉３と、透明ケース２の下側に配置している基台４とを有しており、基台４内には、透明扉３を昇降駆動する駆動機構６を配置しており、駆動機構６は、交差状に組み付けられていて、その交差位置を支点に揺動する一対のアーム８・９と、各アーム８・９の下端に連結している開閉操作部１０・１１と、各開閉操作部１０・１１に固定している上下一対のラック１２・１３と、両ラック１２・１３間に配置していて、両ラック１２・１３に噛合するピニオン１４と、そのピニオン１４を回転駆動する駆動源とを有しており、各アーム８・９の上端には、透明扉３に配置した揺動ガイドレール１６に対して左右方向へスライド移動自在に係合するスライド部１７・１８を設けており、駆動源２７によってピニオン１４を駆動して開閉操作部１０・１１を互いに接近させたときには透明扉３が上昇し、ピニオン１４を駆動して開閉操作部１０・１１を互いに離れさせたときには透明扉３が基台４内に下降することを特徴とする。
【００１２】
また、手などの被検知物を非接触で検知する非接触型センサ３８を配置しており、透明扉３が透明ケース２の前面開口を閉じている状態で、非接触型センサ３８が被検知物を検知したときには透明扉３を下降させて透明ケース２の前面開口を開き、透明ケース２の前面開口が開かれている状態で、非接触型センサ３８が被検知物を検知したときには透明扉３を上昇させて透明ケース２の前面開口を閉じることを特徴とする。ここでの非接触型センサ３８としては、静電容量方式や光センサ方式や超音波方式などの非接触型センサが該当する。非接触型センサ３８は、例えば基台４の前後あるいは左右のいずれかの面に配置される。
【発明の効果】
【００１３】
本発明のショーケースは、透明扉３を下降させたときには、透明扉３が基台４内に収容されて透明ケース２の前面が全開されるので、透明ケース２内への商品などの出し入れを容易に行うことができる。また、透明ケース２には、透明扉３を駆動するためのモータなどの機構が配置されていないために、その機構の配置によって透明ケース２の内容積が小さくなったり、透明ケース２内の商品などが見づらくなったりすることが防がれる。
【００１４】
また、例えば特許文献２のように透明扉３を無端ベルトに連結して昇降させた場合には、当該ベルトが透明扉３の重量による経時変化によって伸び、それによって透明ケース２の前面開口を完全には閉じることができなくなる虞がある。本発明では、駆動機構６は透明扉３の重量をその下側に配置した一対のアーム８・９で受け止めており、そのアーム８・９は透明扉３の重量による経時変化が生じ難い。従って、透明ケース２の前面開口を透明扉３によって長期間確実に閉じることができる。
【００１５】
透明扉３が透明ケース２の前面開口を閉じている状態で、非接触型センサ３８が手などの被検知物を検知したときには、透明扉３を下降させて透明ケース２の前面開口を開き、透明ケース２の前面開口が開かれている状態で、非接触型センサ３８が被検知物を検知したときには、透明扉３を上昇させて透明ケース２の前面開口を閉じると、例えば両手で商品を持っていても、非接触型センサ３８に手をかざすなどするだけで透明扉３を開閉することができる。
【図面の簡単な説明】
【００１６】
【図１】本発明に係るショーケースの縦断正面図である。
【図２】本発明に係るショーケースの斜視図である。
【図３】透明扉を下降させた状態を示す縦断正面図である。
【図４】本発明に係るショーケースの横断側面図である。
【発明を実施するための形態】
【００１７】
本発明に係るショーケースの実施例を図面に基づいて説明する。ショーケース１は、図２に示すように直方体形状になっており、前面が開口している強化ガラス製の透明ケース２と、その透明ケース２の前面開口に配置している強化ガラス製の透明扉３と、透明ケース２の下側に配置している基台４とを有している。透明扉３は、図１に示す駆動機構６で昇降駆動するようになっており、その駆動機構６は、基台４内に配置している。そして、透明扉３が最上端まで上昇すると透明ケース２の前面開口が全閉状態になり（図１の状態）、透明扉３が最下端まで下降すると透明ケース２の前面開口が全開状態になる（図３の状態）。
【００１８】
駆動機構６は、図１および図３に示すように、中央で交差する交差状に組み付けられていて、その交差位置に設けた支軸７を支点に揺動する細長い板状の一対のアーム８・９と、各アーム８・９の下端（図１の下側）にそれぞれ連結している開閉操作部１０・１１と、各開閉操作部１０・１１にそれぞれ固定している上下一対のラック１２・１３と、両ラック１２・１３間に配置していて、両ラック１２・１３に噛合するピニオン１４とを有している。
【００１９】
各アーム８・９の上端には、図３に示すように、透明扉３の下端に配置した揺動ガイドレール１６に係合するスライド部１７・１８を設けている。各スライド部１７・１８は、その上端部に左右一対のローラ２０・２０をそれぞれ回転自在に支持しており、下端部をアーム８・９の上端にそれぞれ揺動自在に支持している。揺動ガイドレール１６は、図４に示すように縦断面Ｈ字状に形成していて、図１に示すように透明扉３の下端に沿って左右方向に延びている。揺動ガイドレール１６の下部側の凹部１６ａ内には、図４に示すように、両スライド部１７・１８のローラ２０・２０を配置しており、揺動ガイドレール１６の上部側の凹部１６ｂには、透明扉３の下端を緩衝材２２を介して嵌め込んでいる。そして、各スライド部１７・１８は、ローラ２０・２０によって揺動ガイドレール１６を受け止めた状態で左右方向へスライド移動自在になっている。
【００２０】
各開閉操作部１０・１１は、図１に示すようにアーム８・９の下端をそれぞれ揺動自在に支持しているとともに、四個のガイドローラ２４をそれぞれ設けている。各ガイドローラ２４は、透明扉３の下端に沿って左右方向に延びている支持レール２５に係合しており、これによって各開閉操作部１０・１１が、左右方向へスライド移動自在になっている。左側の開閉操作部１０には、下側のラック１２の左端部を固定しており、右側の開閉操作部１１には、上側のラック１３の右端部を固定している。
【００２１】
ピニオン１４は、基台４の左右中央に配置しており、図４示すように減速機構２６を介してモータ（駆動源）２７に連結している。そして、モータ２７を駆動することで、左右の開閉操作部１０・１１が互いに接近し、または互いに離れるようにスライド移動する。左右の開閉操作部１０・１１が互いに接近すると透明扉３が上昇し（図１参照）、左右の開閉操作部１０・１１が互いに離れると透明扉３が基台４内に下降する（図３参照）。
【００２２】
ショーケース１の前面部の左右には、透明ケース２の前面開口の上端から基台４内に亘って延びる左右一対の昇降ガイドレール２８・２９（図２参照）を配置しており、その昇降ガイドレール２８・２９には、透明扉３の左右の端部が昇降可能に嵌め込まれている。基台４の上壁の前端部には、図４に示すように左右方向に延びる開口４ａを形成しており、その開口４ａを通って透明扉３が昇降する。なお、開口４ａに沿ってクッション材２３を配置しており、透明扉３が開口４ａの縁に直接当たらないようにしている。
【００２３】
図１および図４に示すように、ピニオン１４の配置位置において、下側のラック１２の下側には左右一対の規制ローラ３１・３１を配置しており、上側のラック１３の上側には左右一対の規制ローラ３２・３２をそれぞれ配置している。下側の規制ローラ３１・３１によって下側のラック１２が下方へ動くことが規制され、上側の規制ローラ３２・３２によって上側のラック１３が上方へ動くことが規制され、それによって各ラック１２・１３がピニオン１４から外れることが防がれる。
【００２４】
支持レール２５は、固定具３４を介して基台４の下壁４ｂの上面に固定している。下側の規制ローラ３１・３１は、固定具３４に回転自在に支持している。上側の規制ローラ３２・３２は、支持具３５に回転自在に支持しており、その支持具３５は、支持レール２５の上面に取り付けている。モータ２７および減速機構２６は、保持台３６を介して基台４の下壁４ｂの上面に固定している。
【００２５】
基台４の前面の適所には、図２に示すように、例えば静電容量方式の非接触型センサ３８を配置している。その非接触型センサ３８は不図示の制御部に接続されている。その制御部は、例えば透明扉３が透明ケース２の前面開口を閉じている状態で、非接触型センサ３８に手などがかざされると、それを検知して透明扉３を下降させて透明ケース２の前面開口を開く。また、制御部は、透明ケース２の前面開口が開かれている状態で、非接触型センサ３８に手などがかざされると、それを検知して透明扉３を上昇させて透明ケース２の前面開口を閉じる。
【００２６】
透明扉３が最上端まで上昇して透明ケース２の前面の上縁に当接したときにはモータ２７に過電流が流れる。制御部は、例えば前記過電流を検知してモータ２７を停止する。また透明扉３が上昇しているときに、透明扉３の上端と透明ケース２の前面の上縁との間に商品などが挟まった場合にも、モータ２７に過電流が流れ、制御部は、その過電流を検知してモータ２７を停止する。透明扉３が最下端まで下降したことを検知するセンサを設けており、そのセンサによって最下端に達した透明扉３を検知したときに、制御部はモータ２７を停止する。なお、明扉３が最上端まで上昇したことを検知するセンサを設け、そのセンサによって最上端に達した透明扉３を検知したときに、モータ２７を停止させてもよい。
【００２７】
前述のように透明扉３を下降させたときには、図３および図４に示すように、透明扉３の全体が基台４内に収容されて透明ケース２の前面が全開されるので、透明ケース２内への商品などの出し入れを容易に行うことができる。また、透明ケース２には、透明扉３を駆動するためのモータなどの機構が配置されないために、その機構の配置によって透明ケース２の内容積が小さくなったり、透明ケース２内の商品などが見づらくなったりすることが防がれる。
【００２８】
また、例えば特許文献２のように透明扉３を無端ベルトに連結して昇降させた場合には、透明扉３の重量によって経時変化でベルトが伸び、長期間の使用で透明ケース２の前面開口が完全には閉じられなくなる虞がある。本発明では、駆動機構６は透明扉３の重量をその下側に配置した一対のアーム８・９で受け止めており、そのアーム８・９は透明扉３の重量による経時変化が生じ難い。従って、透明ケース２の前面開口を透明扉３によって長期間確実に閉じることができる。
【００２９】
なお、非接触型センサ３８は、光センサ方式や超音波方式などであってもよい。非接触型センサ３８は、基台４の後面に配置してもよく、基台４の前後面にそれぞれ配置してもよい。また非接触型センサ３８に代えて接触型センサを配置してもよい。ショーケース１は、その前面が顧客側になるように設置してもよく、前面を販売員側になるように設置してもよい。
【符号の説明】
【００３０】
１  ショーケース
２  透明ケース
３  透明扉
４  基台
６  駆動機構
８・９  アーム
１０・１１  開閉操作部
１２・１３  ラック
１４  ピニオン
１６  揺動ガイドレール
１７・１８  スライド部
２０  ローラ
２４  ガイドローラ
２５  支持レール
２７  モータ
３８  非接触型センサ
【図１】
2012000307.tif 000003
【図２】
2012000307.tif 000004
【図３】
2012000307.tif 000005
【図４】
2012000307.tif 000006